(57)【要約】【課題】トレードオフの関係にある２つの要素について、一方を変化させたときに他方がどのように変化するかをユーザに認識可能とする電気掃除機及びこれを備えた電気掃除システムを提供する。【解決手段】表示入力部28は、電動送風機14の動作に関する第一要素と、該第一要素とトレードオフの関係にある第二要素と、を表示する。表示入力部28は、第一要素と第二要素との少なくとも一方の値を変化させる入力を受け付ける。主制御部29は、表示入力部28で受け付けた変化後の値に応じた第一要素と第二要素との他方の値を求める。表示制御部は、主制御部29で求めた値を表示入力部28に表示させる。駆動制御部は、表示入力部28で受け付けた第一要素の値又は主制御部29で演算された第一要素の値に基づいて、電動送風機14の駆動を制御する。【選択図】図１
2020032173.tif 000002
【特許請求の範囲】
【請求項１】
二次電池を駆動源とする電気掃除機であって、
前記二次電池からの給電により駆動される電動送風機と、
前記電動送風機の駆動を制御する駆動制御部と、
前記電動送風機の動作に関する第一要素と、該第一要素とトレードオフの関係にある第二要素と、を表示するとともに、前記第一要素と前記第二要素との少なくとも一方の値を変化させる入力を受け付ける表示入力部と、
前記表示入力部で受け付けた変化後の値に応じた前記第一要素と前記第二要素との他方の値を求める演算部と、
前記演算部で求めた値を前記表示入力部に表示させる表示制御部と、を備え、
前記駆動制御部は、前記表示入力部で受け付けた前記第一要素の値又は前記演算部で演算された前記第一要素の値に基づいて、前記電動送風機の駆動を制御する
ことを特徴とする電気掃除機。
【請求項２】
前記二次電池、前記電動送風機、及び前記駆動制御部を備えた掃除手段と、
前記表示入力部、前記演算部、及び前記表示制御部を備えた操作手段と、を備え、
前記掃除手段及び前記操作手段は、それぞれ相互に通信可能な通信部を有する
ことを特徴とする請求項１記載の電気掃除機。
【請求項３】
前記二次電池、前記電動送風機、前記駆動制御部、及び前記演算部を備えた掃除手段と、
前記表示入力部、及び前記表示制御部を備えた操作手段と、を備え、
前記掃除手段及び前記操作手段は、それぞれ相互に通信可能な通信部を有する
ことを特徴とする請求項１記載の電気掃除機。
【請求項４】
前記第一要素と前記第二要素との対応関係を規定した対応情報を記憶した記憶部を備え、
前記演算部は、前記記憶部を参照して、前記第一要素と前記第二要素との一方の変化後の値に応じた他方の値を求める
ことを特徴とする請求項１ないし３いずれか一記載の電気掃除機。
【請求項５】
前記第一要素は、前記電動送風機の駆動力であり、
前記第二要素は、前記二次電池による駆動時間である
ことを特徴とする請求項１ないし４いずれか一記載の電気掃除機。
【請求項６】
前記第一要素は、前記電動送風機の駆動力であり、
前記第二要素は、掃除する領域の広さである
ことを特徴とする請求項１ないし４いずれか一記載の電気掃除機。
【請求項７】
前記第一要素は、前記電動送風機の駆動力であり、
前記第二要素は、前記電動送風機の駆動音量である
ことを特徴とする請求項１ないし４いずれか一記載の電気掃除機。
【請求項８】
前記第一要素は、前記電動送風機の駆動力であり、
前記第二要素は、前記二次電池の寿命である
ことを特徴とする請求項１ないし４いずれか一記載の電気掃除機。
【請求項９】
前記二次電池の残量を検知する残量検知部と、
前記二次電池の温度を検知する温度検知部と、の少なくともいずれかを備え、
前記演算部は、前記残量検知部により検知された前記二次電池の残量と、前記温度検知部により検知された前記二次電池の温度との少なくとも一方に基づいて、前記二次電池の寿命を予測する
ことを特徴とする請求項８記載の電気掃除機。
【請求項１０】
前記二次電池の充放電履歴を記憶した記憶部を備え、
前記演算部は、前記記憶部に記憶された前記二次電池の充放電履歴に基づいて、前記二次電池の寿命を予測する
ことを特徴とする請求項８又は９記載の電気掃除機。
【請求項１１】
前記表示入力部は、前記電動送風機の動作に関する第三要素を表示するとともに、前記第三要素についての設定入力を受け付け、
前記演算部は、前記第一要素又は前記第二要素の変化後の値と、前記第三要素の設定に応じて、前記第一要素又は前記第二要素の値を求める
ことを特徴とする請求項１ないし１０いずれか一記載の電気掃除機。
【請求項１２】
前記表示入力部は、タッチパネルディスプレイである
ことを特徴とする請求項１ないし１１いずれか一記載の電気掃除機。
【請求項１３】
請求項１ないし１２いずれか一記載の電気掃除機と、
前記電気掃除機とネットワークを介して通信可能であり、少なくとも前記表示入力部で受け付けた値と関連を有する値を蓄積可能なサーバと、
を備えることを特徴とする電気掃除システム。
【請求項１４】
前記表示制御部は、前記サーバに蓄積された値から得られた値を、前記第一要素と前記第二要素との少なくともいずれかのデフォルト値として前記表示入力部に表示させることが可能である
ことを特徴とする請求項１３記載の電気掃除システム。
【請求項１５】
前記サーバは、ユーザの属性情報と掃除する領域に関する情報との少なくともいずれかを蓄積可能である
ことを特徴とする請求項１３又は１４記載の電気掃除システム。
【請求項１６】
前記表示制御部は、前記サーバに蓄積された値に、前記サーバに蓄積された前記ユーザの属性情報と前記掃除する領域に関する情報との少なくともいずれかを加味して得られた値を、前記第一要素と前記第二要素との少なくともいずれかのデフォルト値として前記表示入力部に表示させることが可能である
ことを特徴とする請求項１５記載の電気掃除システム。
【発明の詳細な説明】
【技術分野】
【０００１】
本発明の実施形態は、二次電池を駆動源とする電気掃除機及びこれを備えた電気掃除システムに関する。
【背景技術】
【０００２】
二次電池を駆動源とする電気掃除機においては、例えば二次電池から給電される電動送風機の吸引力(駆動力)の強弱と、二次電池の駆動時間の長短とは、吸引力を大きくして消費電力が大きくなるほど二次電池の駆動時間が短くなり、吸引力を小さくして消費電力を小さくするほど二次電池の駆動時間が長くなる。この２つの要素(電動送風機の駆動力と二次電池の駆動時間)は、一方を追求すれば他方を犠牲にせざるを得ないというトレードオフの関係にあるといえる。このように電気掃除機においては電動送風機の駆動力と、トレードオフの関係になる要素がいくつか存在する。
【０００３】
電気掃除機において、ユーザが吸引力の強弱を設定可能としたものは広く知られているが、吸引力の強弱を設定した場合に、それとトレードオフの関係にあるものがどのように変化するかについては、ユーザは認識することができなかった。
【０００４】
例えば、ユーザの生活環境等によっては、ユーザが、電動送風機の吸引力を重視する場合と、そのトレードオフの関係にある二次電池の駆動時間等を重視する場合とがあり、トレードオフの関係にある２つの要素について、一方を変化させたときに他方がどのように変化するかをユーザが認識可能とすることで、電気掃除機の利便性を向上することができる。
【先行技術文献】
【特許文献】
【０００５】
【特許文献１】特開２０１０−６９３３１号公報
【発明の概要】
【発明が解決しようとする課題】
【０００６】
本発明が解決しようとする課題は、トレードオフの関係にある２つの要素について、一方を変化させたときに他方がどのように変化するかをユーザに認識可能とする電気掃除機及びこれを備えた電気掃除システムを提供することである。
【課題を解決するための手段】
【０００７】
実施形態の電気掃除機は、二次電池を駆動源とする電気掃除機である。電気掃除機は、電動送風機と、駆動制御部と、表示入力部と、演算部と、表示制御部と、を備える。電動送風機は、二次電池からの給電により駆動される。駆動制御部は、電動送風機の駆動を制御する。表示入力部は、電動送風機の動作に関する第一要素と、該第一要素とトレードオフの関係にある第二要素と、を表示する。また、表示入力部は、第一要素と第二要素との少なくとも一方の値を変化させる入力を受け付ける。演算部は、表示入力部で受け付けた変化後の値に応じた第一要素と第二要素との他方の値を求める。表示制御部は、演算部で求めた値を表示入力部に表示させる。駆動制御部は、表示入力部で受け付けた第一要素の値又は演算部で演算された第一要素の値に基づいて、電動送風機の駆動を制御する。
【図面の簡単な説明】
【０００８】
【図１】第１の実施形態の電気掃除機を示す説明図である。
【図２】同上電気掃除機を示す機能ブロック図である。
【図３】同上電気掃除機の表示入力部に表示される機能設定画面の例を示す模式図である。
【図４】同上電気掃除機の制御を示すシーケンスチャートである。
【図５】第２の実施形態の電気掃除機の表示入力部に表示される機能設定画面の例を示す模式図である。
【図６】第３の実施形態の電気掃除機の表示入力部に表示される機能設定画面の例を示す模式図である。
【図７】第４の実施形態の電気掃除機を示す機能ブロック図である。
【図８】同上電気掃除機の表示入力部に表示される機能設定画面の例を示す模式図である。
【図９】第５の実施形態の電気掃除機の表示入力部に表示される機能設定画面の例を示す模式図である。
【図１０】第６の実施形態の電気掃除システムを示す説明図である。
【図１１】同上電気掃除システムの電気掃除機の表示入力部に表示される機能設定画面の例を示す模式図である。
【図１２】同上電気掃除機の表示入力部に表示される情報設定画面の一例を示す模式図である。
【図１３】同上電気掃除機の表示入力部に表示される情報設定画面の他の例を示す模式図である。
【図１４】同上電気掃除システムのサーバに蓄積されるデータテーブルの一例を示す説明図である。
【図１５】同上電気掃除機の表示入力部に表示されるデフォルト値を表示可能な機能設定画面の例を示す模式図である。
【発明を実施するための形態】
【０００９】
(第１の実施形態)
以下、第１の実施形態について図面を参照して説明する。
【００１０】
図１は第１の実施形態の電気掃除機１の説明図である。また、図２は、図１に示す電気掃除機１の機能ブロック図である。以下、図１及び図２を参照して電気掃除機１の構成を説明する。
【００１１】
本実施形態に係る電気掃除機１は、掃除手段２と操作手段３とを備え、掃除手段２と操作手段３とは無線通信可能である。
【００１２】
掃除手段２は、ユーザが把持部９を把持して掃除動作を行うためのスティック型の掃除手段２である。なお、本実施形態では、掃除手段２としてスティック型のものを示しているが、これに限られるものではなく、キャニスタ型やアップライト型、ハンディ型の掃除手段や、自律走行式のロボットクリーナ等であってもよい。
【００１３】
操作手段３は、ユーザが掃除手段２を、ユーザ所望の使用態様や性能に応じた設定を可能とする操作手段３である。操作手段３によるユーザの設定内容は無線通信により掃除手段２に送られ、掃除手段２の設定が変更される。本実施形態において、操作手段３は、スマートフォン等の無線通信端末に所定のプログラムをインストールしたものである。なお、操作手段３は、図１の例に限られるものではなく、携帯電話やタブレットＰＣ等の無線通信端末や、掃除手段２と無線通信可能なノートＰＣやデスクトップＰＣ等も用いることができる。また、操作手段３は、掃除手段２に固設されていてもよいし、掃除手段２に着脱可能に設けられていてもよい。この場合、操作手段３として別途スマートフォン等の外部装置を用いる必要がない。
【００１４】
掃除手段２は、掃除機本体５を備えている。掃除機本体５には、吸込風路を形成する風路体６が着脱可能に接続されている。風路体６は、延長管７、及び、吸込口体８を備えている。また、掃除手段２は、ユーザが把持操作するための把持部９を備えている。把持部９には、掃除手段２の起動及び停止を設定する手元操作部10が配置されている。本実施形態において、把持部９及び手元操作部10は、掃除機本体５に備えられているが、これに限られず、風路体６に備えられていてもよい。なお、風路体６は、掃除手段２がキャニスタ型やアップライト型、ハンディ型の場合にはそれぞれの態様に対応する構成とすればよく、掃除手段２がロボットクリーナである場合には不要である。
【００１５】
また、掃除機本体５には、吸込口12と、排気口13と、が形成されている。吸込口12には風路体６が接続される。また、掃除機本体５には、電動送風機14が配置されている。また、掃除機本体５には、電動送風機14や吸込口体８に設けられるブラシモータ等の各部に電源を供給する二次電池16が配置されている。さらに、掃除機本体５には、電動送風機14の駆動により吸い込まれた含塵空気から塵埃を捕集する集塵部17が設けられる。
【００１６】
また、掃除機本体５は、掃除機本体５による掃除動作を制御する制御手段としての制御部15と、所定のプログラム、パラメータ、設定内容等を記憶する記憶部18と、を備えている。
【００１７】
制御部15は、各制御部や通信部11等を制御して掃除手段２全体を制御する主制御部21と、電動送風機14の駆動を制御する駆動制御部20と、二次電池16を制御する電源制御部23と、を備えている。
【００１８】
主制御部21は、例えば、中央処理装置としてのＣＰＵや、一時記憶装置としてのＲＡＭ、記憶装置としてのＥＥＰＲＯＭ、ＲＯＭや、入出力インタフェース等がバスを介して接続されたマイクロコンピュータである。
【００１９】
駆動制御部20は、主制御部21により制御され、例えば、オンオフの時間比であるデューティ比に応じて二次電池16から電動送風機14への通電時間又は通電量を制御することで、電動送風機14の電流や回転数等の電動送風機14の駆動を制御する。
【００２０】
電源制御部23は、主制御部21により制御され、二次電池16から各部への給電を制御する。
【００２１】
また、掃除手段２は、通信部11を有しており、操作手段３の通信部30との間で無線通信により所定の信号、情報の送受信が可能となっている。通信部11及び通信部30のインタフェースは特に限られるものではないが、例えば、Ｗｉ−Ｆｉ(登録商標)、Ｂｌｕｅｔｏｏｔｈ(登録商標)、ＮＦＣ(Near Field Communication)等の公知の技術を適用することができる。また、通信部11及び通信部30は有線接続されるものであってもよい。この場合のインタフェースも特に限られるものではないが、例えば、ＵＳＢ等の公知の技術を適用することができる。
【００２２】
操作手段３は、この操作手段３の筐体としての本体部27を備え、本体部27には、表示入力部28、主制御部29、通信部30、表示制御部31、記憶部32が設けられる。また、記憶部32には、対応情報33が記憶されている。
【００２３】
表示入力部28は、タッチパネル機能を有するディスプレイであって、電動送風機14の動作に関する第一要素E1と、該第一要素E1とトレードオフの関係にある第二要素E2と、を表示するとともに、第一要素E1及び第二要素E2の少なくとも一方の値を変化させる入力を受け付ける。
【００２４】
表示制御部31は、表示入力部28への表示を制御するとともに、表示入力部28から入力された入力情報を主制御部29へ渡す処理を行う。
【００２５】
主制御部29は、例えば、中央処理装置としてのＣＰＵや、一時記憶装置としてのＲＡＭ、記憶装置としてのＥＥＰＲＯＭ、ＲＯＭや、入出力インタフェース等がバスを介して接続されたマイクロコンピュータであって、ユーザが表示入力部28から操作する要素E1，E2のうち一方の変化後の値に応じた他方の値を求める演算を行う演算部として機能する。
【００２６】
記憶部32には、予め実験等により求められた第一要素E1と第二要素E2との対応関係を規定したテーブルデータとしての対応情報33が記憶されており、主制御部29は、要素E1，E2のうち一方の値の変化が表示入力部28から表示制御部31を介して入力されると、対応情報33を参照して、この変化後の値に対応する他方の値を出力する。なお、本実施形態では、主制御部29は記憶部32に予め記憶されている対応情報33を参照して他方の値を求めているが、これに限られるものではなく、主制御部29は第一要素E1と第二要素E2との関係を規定する関数等を用いて他方の値を算出するものであってもよい。この関数は記憶部32に予め記憶されているものであればよい。
【００２７】
操作手段３は、通信部30を有しており、掃除手段２の通信部11との間で無線通信により所定の信号、情報の送受信が可能となっている。
【００２８】
なお、操作手段３は、二次電池等の電源により駆動するが、掃除手段２と操作手段３が有線接続される場合や、操作手段３が掃除手段２に設けられる場合は、掃除手段２の二次電池16から給電されるものであってもよい。
【００２９】
図３は、表示入力部28に表示される機能設定画面の一例を示す模式図である。図３の例では、表示入力部28に電動送風機14の動作に関する第一要素E1として、電動送風機14の駆動力としての「吸引力」が表示されるとともに、第二要素E2として、二次電池16の駆動時間としての掃除手段２の「運転時間」が表示されている。ここで、「吸引力」を上げることは単位時間当たりの二次電池16から電動送風機14への給電量を上げることであり、「吸引力」を上げるほど「運転時間」は短くなり、「吸引力」を下げるほど「運転時間」は長くなる。すなわち、第一要素E1である「吸引力」と第二要素E2である「運転時間」との間には、一方を追求すれば他方を犠牲にせざるを得ないというトレードオフの関係が成立しており、第二要素E2は、電動送風機14の動作に関する第一要素E1とトレードオフの関係にあるといえる。
【００３０】
ユーザは、表示入力部28の「運転時間」のスライダをスライド操作することで「運転時間」の設定が可能となっている。すなわち、ユーザは、掃除開始前に長い時間掃除するのか、短い時間掃除するのかの設定を行うことができる。スライダの部分に運転時間の予測値(分)を併せて表示しておくものであってもよい。デフォルト表示では、スライダが中央部分に設定されている。そして、ユーザにより、表示入力部28において、例えば「運転時間」の値が「長」側にスライド操作されると、主制御部29は変化後の「運転時間」の値で対応情報33から「吸引力」の値を読み出し、表示制御部31は表示入力部28に表示されている「吸引力」を小さい側にスライド表示させる。逆に、ユーザにより、表示入力部28において、「運転時間」の値が例えば「短」側にスライド操作されると、主制御部29は変化後の「運転時間」の値で対応情報33から「吸引力」の値を読み出し、表示制御部31は表示入力部28に表示されている「吸引力」を大きい側にスライド表示させる。これにより、ユーザは「運転時間」のスライダをスライド操作して変化させることに応じて、リアルタイムに「吸引力」がどのように変化するのかを認識することが可能となっている。
【００３１】
また、表示入力部28には、ユーザがタッチ操作により設定した第一要素E1又は第二要素E2を決定するための決定用オブジェクトB1と、機能設定画面を終了するための終了用オブジェクトB2が表示される。ユーザにより決定用オブジェクトB1が押下されると、その時点での第一要素E1の「吸引力」の値に対応する電動送風機14の駆動のためのパラメータが通信部30を介して、操作手段３から掃除手段２に送られる。なお、このパラメータは、設定された第一要素E1である「吸引力」となるように電動送風機14を駆動させるためのパラメータであり、必ずしも１の要素についてのパラメータを意味するものではなく、必要な値の組み合わせから成るものであればよい。また、ユーザは決定用オブジェクトB1を押下するまでの任意の段階で掃除手段２の電源を入れておけばよい。また、決定用オブジェクトB1を押下する際に、ユーザに掃除手段２の電源をオンとするように促す表示を出力することも好ましい。
【００３２】
また、掃除手段２は、操作手段３との通信及びパラメータの設定が可能であるが電動送風機14がオフとなっている設定モードを備え、操作手段３での機能設定画面の操作時は掃除手段２が設定モードとなっていることも好ましい。また、操作手段３からの通信を受けると、掃除手段２が設定モードで起動するようにすることも好ましい。
【００３３】
そして、掃除手段２は、通信部11を介してパラメータを受け、駆動制御部20は受けたパラメータに応じて電動送風機14が駆動可能となるよう制御する。駆動制御部20は、ユーザが手元操作部10により電気掃除機１を起動させる指令を入力すると、操作手段３を用いたユーザの操作に従って設定されたパラメータに応じて、二次電池16を放電させるとともに、設定されたパラメータの放電終止電圧で二次電池16の放電を停止させるように制御素子のオンオフを切り替える等の制御により、電動送風機14を制御する。駆動制御部20が電動送風機14を駆動させると、電気掃除機１は、風路体６を介して吸込口12から集塵部17へと空気とともに塵埃を吸い込み、塵埃を集塵部17に集積して、吸い込んだ空気により電動送風機14を冷却した後、排気口13から排気する。
【００３４】
これらの動作を、図４に示すシーケンスチャートも参照して説明する。ステップS1において、ユーザが操作手段３の表示入力部28にて第一要素E1又は第二要素E2をスライド操作すると、ステップS2において、操作手段３では、入力された操作に応じて表示制御部31が記憶部32に記憶された対応情報33を読み出すとともに、読み出した値に応じて第一要素E1及び第二要素E2の表示を変えるように表示入力部28を制御する。また、ステップS3において、ユーザが操作手段３の表示入力部28にて決定用オブジェクトB1を押下して決定操作すると、ステップS4において、操作手段３では、その時点で表示入力部28に表示された設定に対応するパラメータを通信部30により掃除手段２に送信する。次いで、ステップS5において、掃除手段２では、送信されたパラメータが通信部11により受信されると、このパラメータに応じて駆動制御部20が電動送風機14を駆動可能となるように設定する。その後、ステップS6において、ユーザが手元操作部10により起動操作を入力すると、ステップS7において、掃除手段２では、設定されたパラメータに基づき駆動制御部20が電動送風機14の駆動を開始させる。また、ステップS1〜S5の処理は、駆動中(ステップS7以後)であっても可能である。所定のモードで起動した後に、ステップS1〜S5の処理が実行されるものであってもよい。
【００３５】
なお、図３の例では、ユーザが「運転時間」を操作することで、「吸引力」が変動表示される例を説明したが、ユーザが「吸引力」を操作することで、「運転時間」が変動表示されるものであってもよい。また、ユーザに「運転時間」及び「吸引力」双方の操作を可能に表示し、その都度、操作された要素について、他方の要素を変動表示させるものであってもよい。
【００３６】
また、図３の例では、「運転時間」は、ユーザがスライド操作可能なスライダとして表示される例を示したが、ＧＵＩは特に限られるものではく、例えば、スピンボックスやノブ等でもよいし、掃除手段２の運転時間と電動送風機14の吸引力とを直交軸としたグラフ等として表示されてもよい。
【００３７】
また、掃除手段２の「運転時間」は、連続的に変化させることができるようになっていてもよいし、ラジオボタン等で予め決められた複数の「運転時間」からユーザがいずれかを選択可能となっており、選択された「運転時間」に応じた「吸引力」が表示されるものであってもよい。
【００３８】
また、表示入力部28には、ユーザが変化させた第一要素E1及び第二要素E2を初期状態にリセットする機能を有するリセットボタン等を表示するようにしてもよい。
【００３９】
以上説明した第１の実施形態の電気掃除機１によれば、電動送風機14の動作に関する第一要素E1と、該第一要素E1とトレードオフの関係にある第二要素E2と、を操作手段３に表示させて、ユーザにより第一要素E1又は第二要素E2の値を変化させる入力を行われることで、他方の値の変化を表示するとともに、変化後の電動送風機14の動作に関する第一要素E1の値に応じて電気掃除機１を駆動させることができる。すなわち、ユーザは、トレードオフの関係にある２つの要素E1，E2について、一方を変化させたときに他方がどのように変化するかを認識可能となる。従って、ユーザは、これから使用する電気掃除機１を運転時間との兼ね合いでどのような性能で駆動させることができるかを認識することができ、ユーザ所望の設定で電気掃除機１を駆動させることができる。これにより電気掃除機１の利便性を向上させることができる。
【００４０】
(第２の実施形態)
次に、第２の実施形態について図５を参照して説明する。なお、上記各実施形態と同様の構成及び作用については、同一符号を付してその説明を省略する。
【００４１】
図５は、表示入力部28に表示される機能設定画面の他の例を示す模式図である。図５の例では、表示入力部28に電動送風機14の動作に関する第一要素E1として電動送風機14の駆動力としての「吸引力」が表示されるとともに、第二要素E2として、掃除手段２により「掃除する領域」の広さが表示されている。ここで、掃除動作を同じ加減で行えば、「掃除する領域」の広さが大きい場合は運転時間が長いことを意味し、「掃除する領域」の広さが小さい場合は運転時間が短いことを意味するので、「吸引力」を上げるほど「掃除する領域」(掃除可能な範囲)は小さくなり、「吸引力」を下げるほど「掃除する領域」は大きくなる。すなわち、第一要素E1である「吸引力」と第二要素E2である「掃除する領域」との間には、一方を追求すれば他方を犠牲にせざるを得ないというトレードオフの関係が成立しており、第二要素E2は、電動送風機14の動作に関する第一要素E1とトレードオフの関係にあるといえる。
【００４２】
ユーザは、表示入力部28の「掃除する領域」のスライダをスライド操作することで「掃除する領域」の設定が可能となっている。ユーザは、広い範囲を掃除するのか狭い範囲を掃除するのかの設定を行う。スライダの部分に「掃除する領域」の予測値(ｍ2、畳数等)を併せて表示しておくものであってもよい。デフォルト表示では、スライダが中央部分に設定されている。そして、ユーザにより、表示入力部28において、例えば「掃除する領域」の値が「広」側にスライド操作されると、主制御部29は変化後の「掃除する領域」の値で対応情報33から「吸引力」の値を読み出し、表示制御部31は表示入力部28に表示されている「吸引力」を小さい側にスライド表示させる。逆に、ユーザにより、表示入力部28において、「掃除する領域」の値が例えば「狭」側にスライド操作されると、主制御部29は変化後の「掃除する領域」の値で対応情報33から「吸引力」の値を読み出し、表示制御部31は表示入力部28に表示されている「吸引力」を大きい側にスライド表示させる。これにより、ユーザは「掃除する領域」のスライダをスライド操作して変化させることに応じて、リアルタイムに「吸引力」がどのように変化するのかを認識することが可能となっている。
【００４３】
そして、ユーザにより決定用オブジェクトB1が押下されると、その時点での「吸引力」の値に対応する電動送風機14の駆動のためのパラメータが通信部30を介して、操作手段３から掃除手段２に送られる。
【００４４】
そして、掃除手段２は、通信部11を介してこのパラメータを受けて、駆動制御部20はこのパラメータに応じて電動送風機14が駆動するよう制御する。
【００４５】
以上説明した第２の実施形態の電気掃除機１によれば、ユーザは、これから使用する電気掃除機１を、掃除する領域の広さとの兼ね合いでどのような性能で駆動させることができるかを認識することができ、ユーザ所望の設定で電気掃除機１を駆動させることができる。これにより電気掃除機１の利便性を向上させることができる。
【００４６】
(第３の実施形態)
次に、第３の実施形態について図６を参照して説明する。なお、上記各実施形態と同様の構成及び作用については、同一符号を付してその説明を省略する。
【００４７】
図６は、表示入力部28に表示される機能設定画面の他の例を示す模式図である。図６の例では、表示入力部28に電動送風機14の動作に関する第一要素E1として電動送風機14の駆動力としての「吸引力」が表示されるとともに、第二要素E2として、電動送風機14の「駆動音」が表示されている。
【００４８】
ここで、ユーザは掃除動作の際の電動送風機14の動作に伴う「駆動音」が小さいことを望むが、「吸引力」を大きくするほど、電動送風機14の「駆動音」は大きくなってしまい、「駆動音」を抑えようとすると、「吸引力」は小さくならざるを得ない。すなわち、第一要素E1である「吸引力」と、第二要素である「駆動音」との間には、一方を追求すれば他方を犠牲にせざるを得ないというトレードオフの関係が成立しており、第二要素E2は、電動送風機14の動作に関する第一要素E1とトレードオフの関係にあるといえる。
【００４９】
ユーザは、表示入力部28の「駆動音」のスライダをスライド操作することで「駆動音」の設定が可能となっている。ユーザは、許容できる「駆動音」の設定を行う。スライダの部分に「駆動音」の予測値(ｄＢ等)を併せて表示しておくものであってもよい。デフォルト表示では、スライダが中央部分に設定されている。そして、ユーザにより、表示入力部28において、例えば「駆動音」の値が「小」側にスライド操作されると、主制御部29は変化後の「駆動音」の値で対応情報33から「吸引力」の値を読み出し、表示制御部31は表示入力部28に表示されている「吸引力」を小さい側にスライド表示させる。逆に、ユーザにより、表示入力部28において、「駆動音」の値が例えば「大」側にスライド操作されると、主制御部29は変化後の「駆動音」の値で対応情報33から「吸引力」の値を読み出し、表示制御部31は表示入力部28に表示されている「吸引力」を大きい側にスライド表示させる。これにより、ユーザは「駆動音」のスライダをスライド操作して変化させることに応じて、リアルタイムに「吸引力」がどのように変化するのかを認識することが可能となっている。
【００５０】
そして、ユーザにより決定用オブジェクトB1が押下されると、その時点での「吸引力」の値に対応する電動送風機14の駆動のためのパラメータが通信部30を介して、操作手段３から掃除手段２に送られる。
【００５１】
そして、掃除手段２は、通信部11を介してこのパラメータを受けて、駆動制御部20はこのパラメータに応じて電動送風機14が駆動するよう制御する。
【００５２】
以上説明した第３の実施形態の電気掃除機１によれば、ユーザは、これから使用する電気掃除機１を、掃除手段の駆動音との兼ね合いでどのような性能で駆動させることができるかを認識することができ、ユーザ所望の設定で電気掃除機１を駆動させることができる。これにより電気掃除機１の利便性を向上させることができる。
【００５３】
(第４の実施形態)
次に、第４の実施形態について図７及び図８を参照して説明する。なお、上記第１の実施形態と同様の構成及び作用については、同一符号を付してその説明を省略する。
【００５４】
図７は、第４の実施形態に係る電気掃除機１の機能ブロック図である。本実施形態の掃除手段２には、二次電池16の残量を検知する残量検知部35と、二次電池16の温度を検知する温度検知部36と、対応情報33と充放電情報34とを記憶した記憶部18と、を備え、主制御部21が演算部として機能する。
【００５５】
残量検知部35は、二次電池16の残量を検知する。二次電池16の残量検知は、例えば、電圧測定方式等の公知または新規の手法によるものであればよく、特に限られるものではない。また、温度検知部36は、二次電池16の温度を検知する。ここでいう二次電池16の温度には、二次電池16の近傍の所定位置での温度も含む。すなわち、温度検知部36での温度検知とは、二次電池16の温度と所定の関係を有する温度を検知することを含む。残量検知部35と温度検知部36の検知結果は制御部21に送られる。また、電源制御部23は、二次電池16の充電回数と放電回数(充放電サイクルの回数)や充放電レート等の充放電に関する履歴情報を主制御部21に送り、これは充放電情報34として記憶部18に記憶される。なお、本実施形態では、掃除手段２が残量検知手段35及び温度検知部36を備える例を示しているが、少なくともいずれかを備えるものであればよい。
【００５６】
また、図８は、表示入力部28に表示される機能設定画面の他の例を示す模式図である。図８の例では、表示入力部28に電動送風機14の動作に関する第一要素E1として電動送風機14の駆動力としての「吸引力」が表示されるとともに、第二要素E2として、二次電池16の寿命(「電池の寿命」)が表示されている。ここで、二次電池16の寿命とは、例えば二次電池16の充放電サイクルの上限回数である。
【００５７】
ここで、ユーザは二次電池16の「電池の寿命」が長いことを望むが、「吸引力」を大きくするほど、二次電池16への負荷が大きくなるため二次電池16の「電池の寿命」は短くなってしまう。すなわち、第一要素E1である「吸引力」と第二要素E2である「電池の寿命」との間には、一方を追求すれば他方を犠牲にせざるを得ないというトレードオフの関係が成立しており、第二要素E2は、電動送風機14の動作に関する第一要素E1とトレードオフの関係にあるといえる。
【００５８】
ユーザは、表示入力部28の「電池の寿命」のスライダをスライド操作することで「電池の寿命」の設定が可能となっている。ユーザは、所望の「電池の寿命」の設定を行う。スライダの部分に「電池の寿命」の予測値(充放電回数等)を併せて表示しておくものであってもよい。デフォルト表示では、スライダが中央部分に設定されている。そして、ユーザにより、入力表示部28において、例えば「電池の寿命」の値が「短」側にスライド操作されると、この情報が操作手段３から掃除手段２に送られ、主制御部21は変化後の「電池の寿命」の値で対応情報33から「吸引力」の値を読み出して、操作手段３に送る。操作手段３は、この情報に基づいて、表示入力部28に表示されている「吸引力」を大きい側にスライド表示させる。逆に、ユーザにより、入力表示部28において、「電池の寿命」の値が例えば「長」側にスライド操作されると、表示制御部31は表示入力部28に表示されている「吸引力」を小さい側にスライド表示させる。これにより、ユーザは「電池の寿命」のスライダをスライド操作して変化させることに応じて、リアルタイムに「吸引力」がどのように変化するのかを認識することが可能となっている。
【００５９】
そして、ユーザにより決定用オブジェクトB1が押下されると、その時点での「吸引力」の値に対応する電動送風機14の駆動のためのパラメータに基づいて、駆動制御部20は電動送風機14が駆動するよう制御する。
【００６０】
以上説明した第４の実施形態の電気掃除機１によれば、ユーザは、これから使用する電気掃除機１を、二次電池の寿命との兼ね合いでどのような性能で駆動させることができるかを認識することができ、ユーザ所望の設定で電気掃除機１を駆動させることができる。これにより電気掃除機１の利便性を向上させることができる。
【００６１】
ところで、二次電池16の寿命は、二次電池16の残量が少ない状態で使用を繰り返されるほど短く、二次電池16の残量が多い状態で使用を繰り返されるほど長くなる。また、二次電池16の寿命は、二次電池16の温度が高い状態で使用を繰り返されるほど短く、二次電池16の温度が低い状態で使用を繰り返されるほど長くなる。
【００６２】
そこで、主制御部21は、表示入力部28に表示させる電池の寿命を、残量検知部35で検知した二次電池16の残量と、温度検知部36で検知した二次電池16の温度に基づいて予測して、表示させるようことが好ましい。
【００６３】
また、主制御部21は、二次電池16の寿命予測において、記憶部18の充放電情報34を参照して求めることも好ましい。二次電池16の充放電履歴を考慮した二次電池16の寿命予測により、二次電池16の寿命の予測精度を向上することができる。
【００６４】
このように、表示入力部28に表示させる電池の寿命を、二次電池16の残量や、温度、充放電履歴等に基づいて予測した値を表示させ、これと吸引力との関係をユーザに設定可能とすることにより、ユーザは、これから使用する電気掃除機１を、二次電池16の寿命との兼ね合いでどのような性能で駆動させることができるかを認識することができ、ユーザ所望の設定で電気掃除機１を駆動させることができる。これにより電気掃除機１の利便性を向上させることができる。
【００６５】
(その他の実施形態)
上記各実施形態においては、表示入力部28に、電動送風機14の動作に関する第一要素E1と、そのトレードオフの関係にある第二要素E2とを一対一で表示する例を示し、要素E1，E2の少なくともいずれかをユーザが設定可能としたが、電動送風機14の動作に関する第一要素E1に対して、上述したトレードオフの関係にある第二要素E2を複数表示し、それらの少なくともいずれかをユーザが設定可能とし、複数の第二要素E2が連動して変化するように表示させるようにしてもよい。
【００６６】
このとき、対応情報33として、第一要素E1と複数の第二要素E2との対応関係をそれぞれ有していて、第二要素E2の値に応じて、第一要素E1と他の第二要素E2の値が変動するものであればよい。
【００６７】
また、上記各実施形態では、表示入力部28に、電動送風機14の動作に関する第一要素E1と、そのトレードオフの関係にある第二要素E2とを一対一で表示する例を示し、要素E1，E2の少なくともいずれかをユーザが設定可能としたが、さらに、図９に示す第５の実施形態のように、表示入力部28に、電動送風機14の動作についての第三要素E3が表示され、第三要素E3の値を設定可能としてもよい。第三要素E3として、図９の例では、電動送風機14の吸引動作を緩急させるファジィ制御の有無をラジオボタンにより選択することで設定可能となっているが、第三要素E3はこれに限られるものではない。
【００６８】
このとき、対応情報33として、ファジィ制御有りの場合と無しの場合の第一要素E1と第二要素E2の対応関係をそれぞれ有していて、ファジィ制御の設定有無に応じて、第一要素E1の値に応じて電動送風機14を制御するものであればよい。
【００６９】
このように、電動送風機14の動作についての第三要素E3を設定可能とすることで、掃除手段２の動作性能をより細かくに設定することができる。
【００７０】
また、上記各実施形態では、表示入力部28がタッチパネル機能を有するディスプレイである場合を例に説明したが、表示機能を有するディスプレイと、入力機能を有するボタンやキーボード、ポインティングデバイス等とを備える構成としてもよい。
【００７１】
また、上記第１〜第３の実施形態においては、操作手段３の主制御部29が要素E1，E2のうち一方の変化に応じた他方の値を求める演算を行う場合を例に説明したが、上記第１〜第３の実施形態において、第４の実施形態のように掃除手段２の主制御部21で演算を行うようにしてもよい。
【００７２】
さらに、上記各実施形態の電気掃除機１により、図１０ないし図１５に示す第６の実施形態のように、ネットワークＮを介してサーバSVと通信可能な電気掃除システムＳを構築してもよい。
【００７３】
ネットワークＮは、インターネット等の外部ネットワークである。ネットワークＮは、ホームゲートウェイ等の中継手段を介して電気掃除機１と有線又は無線により接続可能となっている。本実施形態において、ネットワークＮは、掃除手段２の通信部11と、操作手段３の通信部30と、の少なくともいずれかと無線接続可能となっている。サーバSVは、ネットワークＮに接続され、ネットワークＮを介してデータを送受信可能であるとともに、データを蓄積及び出力可能となっている。
【００７４】
そして、本実施形態に係る電気掃除システムＳでは、少なくとも表示入力部28で受け付けた値と関連を有する値を、ネットワークＮを介してサーバSVに蓄積させることが可能となっている。
【００７５】
表示入力部28で受け付けた値と関連を有する値とは、表示入力部28でユーザが入力した第一要素E1又は第二要素E2と所定の関係を有する値である。つまり、表示入力部28で受け付けた値と関連を有する値とは、表示入力部28に表示される第一要素E1又は第二要素E2そのものの値でもよいし、その値に対応する単数又は複数のパラメータ等でもよい。サーバSVには、基本的に第一要素E1と関連を有する値と、第二要素E2と関連を有する値と、がそれぞれ蓄積されることが好ましいが、少なくともこれらの値の一方が蓄積されれば、他方はサーバSVや操作手段３の主制御部29等によって演算可能であるため、他方が蓄積されることは必須としない。また、サーバSVには、第三要素E3と関連を有する値が別途蓄積されてもよい。
【００７６】
表示入力部28で受け付けた値と関連を有する値がサーバSVに蓄積されるタイミングは、任意に設定可能である。例えば、表示入力部28に表示される要素を掃除手段２に設定したときでもよいし、要素の設定とは別個の操作をしたときでもよい。すなわち、サーバSVへの値の蓄積は、ユーザが掃除手段２への要素の設定を行うことに連動して行われてもよいし、ユーザが意図的に行うシーケンスや設定画面が別個に設定されていてもよい。
【００７７】
図１１は、表示入力部28に表示される機能設定画面の一例を示す模式図である。図１１の例では、第１の実施形態と同様に、表示入力部28に電動送風機14の動作に関する第一要素E1として、電動送風機14の駆動力としての「吸引力」が表示されるとともに、第二要素E2として、二次電池16の駆動時間としての掃除手段２の「運転時間」が表示されているが、第一要素E1と第二要素E2とは、第２ないし第５の実施形態と同様に任意に設定してよいし、第三要素E3がさらに表示されていてもよい。図１１の例の場合、表示入力部28には、ユーザがタッチ操作により設定した第一要素E1又は第二要素E2をサーバSVに蓄積することを決定するための蓄積決定用オブジェクトB3が、決定用オブジェクトB1、終了用オブジェクトB2とは別個に表示される。ユーザにより蓄積決定用オブジェクトB3が押下されると、その時点での第一要素E1及び／又は第二要素E2の値と関連を有する値が通信部30を介してネットワークＮからサーバSVに送られ、サーバSVに蓄積される。第一要素E1及び／又は第二要素E2を設定したり変更したりした後に蓄積決定用オブジェクトB3が押下されることなく終了用オブジェクトB2が押下された場合には、値をサーバSVに蓄積するか否かを確認する表示を出力することも好ましい。
【００７８】
蓄積決定用オブジェクトB3に代えて、決定用オブジェクトB1が蓄積決定用オブジェクトを兼ねるようにしてもよい。つまり、ユーザが決定用オブジェクトB1を押下してその時点での第一要素E1又は第二要素E2の値に対応するパラメータが通信部30を介して、操作手段３から掃除手段２に送られるときに、その値又は対応するパラメータが通信部30を介してネットワークＮからサーバSVに送られ、サーバSVに蓄積されてもよい。この場合、操作手段３から掃除手段２に送られる値と、ネットワークＮを介してサーバSVに送られる値とは、同一でもよいし、異なっていてもよい。
【００７９】
なお、サーバSVに値を蓄積する際には、通信部30から値を送る前に、ユーザに値をサーバSVに蓄積してよいか否かを確認する表示を出力することが好ましい。
【００８０】
また、サーバSVには、ユーザの属性情報と、掃除する領域に関する情報と、の少なくともいずれかがさらに蓄積されてもよい。この場合、サーバSVにおいて、表示入力部28で受け付けた値と関連を有する値について、ユーザの属性情報と、掃除する領域に関する情報と、のいずれかが関連付けられて蓄積されることが好ましい。
【００８１】
ユーザの属性情報とは、任意に設定してよいが、例えばユーザの性別、年齢、家族構成、ペットの有無、一人住まいであるか否か等の情報である。サーバSVに蓄積されるユーザの属性情報は、一種類でも複数種類でもよい。
【００８２】
また、掃除する領域に関する情報とは、任意に設定してよいが、例えば掃除手段２により掃除する床面の種類、マンションであるか戸建てであるか等のユーザの住宅の種類、掃除手段２により掃除する領域が、台所、リビング、寝室等のいずれの部屋であるか等の掃除する部屋の種類、また、ユーザの住所等の情報である。サーバSVに蓄積される掃除する領域に関する情報は、一種類でも複数種類でもよい。
【００８３】
これらユーザの属性情報や掃除する領域に関する情報は、操作手段３を介してユーザにより入力されてもよいし、掃除手段２の記憶部18や操作手段３の記憶部32等に、掃除する領域に関するマップ情報やユーザの属性情報等が記憶されている場合には、その情報の少なくとも一部を利用してもよい。
【００８４】
各種情報は、好ましくは表示入力部28に表示される情報設定画面からユーザが入力可能となっている。表示入力部28に表示される情報設定画面は、機能設定画面と相互に遷移可能となるように表示制御部31により制御されることが好ましい。ユーザの属性情報と掃除する領域に関する情報とは、少なくともいずれか一方が入力可能となっていればよいが、本実施形態では、それぞれが入力可能な例を挙げて説明する。
【００８５】
図１２は、表示入力部28に表示される情報設定画面の一例を示す模式図である。図１２の例は、ユーザの属性情報を入力するものである。図１２の例では、表示入力部28に、「性別」、「年齢」、「家族構成」、「ペットの有無」、「一人住まいであるか否か」が、ユーザの属性情報Ia1〜Ia5として表示される。また、表示入力部28には、ユーザが設定したユーザの属性情報Ia1〜Ia5を決定しサーバSVに蓄積するための蓄積用オブジェクトB4と、掃除する領域の情報を入力する情報設定画面に遷移するための遷移用オブジェクトB5と、情報設定画面を終了し機能設定画面へと遷移するための終了用オブジェクトB6と、が表示される。ユーザにより蓄積用オブジェクトB4が押下されると、その時点での各情報Ia1〜Ia5と関連を有する値が通信部30を介して、操作手段３からネットワークＮに送られ、サーバSVに蓄積される。また、ユーザにより遷移用オブジェクトB5又は終了用オブジェクトB6が押下されると、それぞれの内容に応じた画面を表示するように表示制御部31が表示入力部28を制御する。なお、図１２に例を示す情報設定画面から他の画面に遷移する際には、遷移する前にユーザの属性情報Ia1〜Ia5をサーバSVに蓄積するか否かを確認する表示を出力することが好ましい。
【００８６】
また、図１３は、表示入力部28に表示される情報設定画面の他の例を示す模式図である。図１３の例は、掃除する領域に関する情報を入力するものである。図１３の例では、表示入力部28に、「床面の種類」、「住宅の種類」、「部屋の種類」、「住所」が、掃除する領域に関する情報Ib1〜Ib4として表示される。また、表示入力部28には、ユーザが設定した掃除する領域に関する情報Ib1〜Ib4を決定しサーバSVに蓄積するための蓄積用オブジェクトB7と、ユーザの属性情報を入力する情報設定画面に遷移するための遷移用オブジェクトB8と、情報設定画面を終了し機能設定画面へと遷移するための終了用オブジェクトB9と、が表示される。ユーザにより蓄積用オブジェクトB7が押下されると、その時点での各情報Ib1〜Ib4と関連を有する値が通信部30を介して、操作手段３からネットワークＮに送られ、サーバSVに蓄積される。また、ユーザにより遷移用オブジェクトB8又は終了用オブジェクトB9が押下されると、それぞれの内容に応じた画面を表示するように表示制御部31が表示入力部28を制御する。なお、図１３に例を示す情報設定画面から他の画面に遷移する際には、遷移する前に掃除する領域に関する情報Ib1〜Ib4をサーバSVに蓄積するか否かを確認する表示を出力することが好ましい。
【００８７】
図１２および図１３に示す情報設定画面の例は、遷移用オブジェクトB5，B8を介して互いに遷移するように別個に設定されていてもよいし、一つの画面内に設定されていてもよい。また、表示入力部28に表示可能な領域に対して入力する情報が多い場合等、表示入力部28にすべてを表示入力部28の一画面分に表示することが困難な場合には、画面を上下や左右にスクロールして全体を表示可能とするようにしてもよい。
【００８８】
図１４にサーバSVに蓄積される情報の一例を示す。図１４に示す例では、サーバSVには第一要素E1と関連を有する値と、第二要素E2と関連を有する値と、それらの値を入力したユーザの属性情報と、掃除する領域の情報と、がユーザ毎にデータテーブルとして蓄積される。
【００８９】
また、サーバSVに蓄積された値や情報は、ユーザによって操作手段３の表示入力部28で閲覧可能としてもよい。操作手段３の表示制御部31は、サーバSVに蓄積された値から得られた値を、第一要素E1と第二要素E2との少なくともいずれかのデフォルト値として表示入力部28に表示させてもよい。サーバSVに蓄積された値から得られた値とは、他のユーザによりサーバSVに蓄積された第一要素E1及び／又は第二要素E2と関連を有する値でもよいし、他のユーザが複数いる場合には、それら他のユーザのうち、最も多くのユーザにより蓄積された第一要素E1及び／又は第二要素E2と関連を有する値や、他のユーザにより蓄積された第一要素E1及び／又は第二要素E2と関連を有する値の平均値等でもよい。この平均値等は、サーバSVが演算して出力してもよいし、サーバSVから出力された値から操作手段３の主制御部29等で演算して求めてもよい。
【００９０】
さらに好ましくは、表示制御部31は、サーバSVに蓄積された値に、その値に関連してサーバSVに蓄積されたユーザの属性情報と掃除する領域に関する情報との少なくともいずれかを加味して得られた値を、第一要素E1と第二要素E2との少なくともいずれかのデフォルト値として表示入力部28に表示させてもよい。つまり、ユーザが属性情報と掃除する領域に関する情報との少なくともいずれかを入力した場合には、サーバSVに蓄積された値のうち、それら入力された情報とともに蓄積された値と関連を有する値が、サーバSVから出力されてもよい。入力された情報とともに蓄積された値と関連を有する値とは、ユーザにより入力されたユーザの属性情報や掃除する領域に関する情報と同一又は類似する情報を有する他のユーザによりサーバSVに蓄積された第一要素E1及び／又は第二要素E2と関連を有する値でもよいし、同一又は類似する情報を有する他のユーザが複数いる場合には、それら他のユーザのうち、最も多くのユーザにより蓄積された第一要素E1及び／又は第二要素E2と関連を有する値や、他のユーザにより蓄積された第一要素E1及び／又は第二要素E2と関連を有する値の平均値等でもよい。この平均値等は、サーバSVが演算して出力してもよいし、サーバSVから出力された値から操作手段３の主制御部29等で演算して求めてもよい。さらに、表示入力部28に表示される値そのものがサーバSVから出力されてもよいし、サーバSVから出力された値を、通信部30により受信した後、主制御部29により演算した値を表示入力部28に表示させてもよい。
【００９１】
サーバSVからの値の出力は、ユーザにより属性情報や掃除する領域に関する情報が蓄積されると自動的に行われてもよいし、ユーザが読み出し等の別途の操作を入力することに応じて行われてもよい。
【００９２】
図１５は、表示入力部28に表示される機能設定画面の一例を示す模式図である。図１５の例では、第１の実施形態と同様に、表示入力部28に電動送風機14の動作に関する第一要素E1として、電動送風機14の駆動力としての「吸引力」が表示されるとともに、第二要素E2として、二次電池16の駆動時間としての掃除手段２の「運転時間」が表示されているが、第一要素E1と第二要素E2とは、第２ないし第５の実施形態と同様に任意に設定してよいし、第三要素E3がさらに表示されていてもよい。図１５の例の場合、表示入力部28には、決定用オブジェクトB1、終了用オブジェクトB2、及び、蓄積決定用オブジェクトB3とは別個に、デフォルト値を表示するためのデフォルト表示用オブジェクトB10と、情報設定画面に遷移するための遷移用オブジェクトB11と、が表示される。ユーザによりデフォルト表示用オブジェクトB10が押下されると、操作手段３の通信部30から、ユーザの属性情報及び／又は掃除する領域に関する情報が要求信号とともに出力されて、ネットワークＮからサーバSVに送られる。要求信号を受け取ったサーバSVは、要求信号とともに受け取ったユーザの属性情報及び／又は掃除する領域に関する情報を参照し、これら情報に関連する、第一要素E1及び／又は第二要素E2と関連を有する値を出力する。出力された値は、ネットワークＮを介して操作手段３に送られる。送られた値を通信部30で受け取った操作手段３は、その値を主制御部29で処理するとともに、その値に応じて表示制御部31が表示入力部28を制御することでデフォルト値が表示入力部28に表示される。表示制御部29は、デフォルト値を、その直前の時点で表示入力部28に表示されていた値に代えて表示入力部28に表示させてもよいし、その直前の時点で表示入力部28に表示されていた値と別個に表示入力部28に表示させて、双方の値をユーザが比較できるようにしてもよい。また、ユーザにより遷移用オブジェクトB11が押下されると、表示制御部31が、ユーザの属性情報及び／又は掃除する領域に関する情報を入力する情報設定画面に遷移するように表示入力部28を制御する。
【００９３】
なお、図１３や図１４に示す情報設定画面の例においては、オブジェクトB5，B6，B8，B9のいずれかが押下されたときに、サーバSVから、入力された各情報に関連する、第一要素E1及び／又は第二要素E2と関連を有する値が要求信号とともに出力され、ネットワークＮを介して操作手段３に送られるようにしてもよい。
【００９４】
表示入力部28で受け付けた値と関連を有する値と各種情報を通信部30からネットワークＮを介してサーバSVに送る際には、それぞれ別個に送ってもよいし、一方を送るときに他方も送ってもよい。
【００９５】
また、表示入力部28で受け付けた値と関連を有する値や、各種情報を、操作手段３の通信部30からホームゲートウェイ等を介してネットワークＮからサーバSVへと送る例について説明したが、これらの値や各種情報は、操作手段３の通信部30から、掃除手段２の通信部11等を経由して間接的にネットワークＮからサーバSVへと送られてもよい。
【００９６】
さらに、サーバSVに蓄積する情報は、一ユーザにつき一群に限られず、一ユーザにつき複数群蓄積されてもよい。その場合には、蓄積された日付等を紐付けてサーバSVに蓄積しておくことで、以前に設定した値や情報を選択的にサーバSVから出力できるようにしてもよい。
【００９７】
図１１、図１２、図１３、及び、図１５は、あくまでも表示例を示しているに過ぎず、各画面において表示されるＧＵＩは、これらの形態に特に限られるものではない。
【００９８】
このように、少なくとも表示入力部28で受け付けた値と関連を有する値をサーバSVに蓄積可能とすることで、ユーザの掃除の仕方に関する情報を取得し、有効活用可能となる。
【００９９】
また、サーバSVに蓄積された値から得られた値を、第一要素E1と第二要素E2との少なくともいずれかのデフォルト値として表示入力部28に表示可能とすることで、ユーザは、他のユーザがどのような値を設定しているのかを、デフォルト値によって容易に知ることができる。
【０１００】
サーバSVには、ユーザの属性情報と掃除する領域に関する情報との少なくともいずれかを蓄積可能であるため、ユーザの属性や掃除する領域毎にユーザの掃除の仕方に関する情報を取得できる。
【０１０１】
この場合、サーバSVに蓄積された値に、サーバSVに蓄積されたユーザの属性情報と掃除する領域に関する情報との少なくともいずれかを加味して得られた値を、第一要素E1と第二要素E2との少なくともいずれかのデフォルト値として表示入力部28に表示可能とすることで、ユーザと属性が同一又は類似する他のユーザや、ユーザが掃除する領域と同一又は類似する領域を相違する他のユーザがどのような値を設定しているのかを、デフォルト値によって容易に知ることができる。
【０１０２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０３】
１    電気掃除機
２    掃除手段
３    操作手段
11，30    通信部
14    電動送風機
16    二次電池
18，32    記憶部
20    駆動制御部
28    表示入力部
29    演算部である主制御部
31    表示制御部
33    対応情報
35    残量検知部
36    温度検知部
E1    第一要素
E2    第二要素
E3    第三要素
Ia1〜Ia5    ユーザの属性情報
Ib1〜Ib4    掃除する領域に関する情報
Ｎ    ネットワーク
Ｓ    電気掃除システム
SV    サーバ
【図１】
2020032173.tif 000003
【図２】
2020032173.tif 000004
【図３】
2020032173.tif 000005
【図４】
2020032173.tif 000006
【図５】
2020032173.tif 000007
【図６】
2020032173.tif 000008
【図７】
2020032173.tif 000009
【図８】
2020032173.tif 000010
【図９】
2020032173.tif 000011
【図１０】
2020032173.tif 000012
【図１１】
2020032173.tif 000013
【図１２】
2020032173.tif 000014
【図１３】
2020032173.tif 000015
【図１４】
2020032173.tif 000016
【図１５】
2020032173.tif 000017